(57)【要約】【課題】簡単な構造で保温性が高い防寒用品を提供する。【解決手段】所定形状に切断され互いに重ねられた第１生地１２、第２生地１４、及び第３生地１６と、第１生地１２と第２生地１４を所定間隔で縫い合わせる複数の第１縫目２０と、一対の第１縫目２０の間に設けられた第１保温材収納空間２２を有する。第２生地１４と第３生地１６を所定間隔で縫い合わせる複数の第２縫目２８と、一対の第２縫目２８の間に設けられた第２保温材収納空間３０を備える。第１保温材収納空間２２に位置した第１保温材２４と、第２保温材収納空間３０に位置した第２保温材３２を備える。第１縫目２０と第２縫目２８は、互いに平行で異なる位置に設けられ、隣接する一対の第１保温材収納空間２２の間に、積層した前記第２保温材収納空間３０が重ねられている。【選択図】図１
2007270384.tif 000002
【特許請求の範囲】
【請求項１】
所定形状に切断され互いに重ねられた３枚以上の生地と、前記一対の生地を所定間隔で縫い合わせて形成された保温材収納空間と、前記保温材収納空間に入れられた保温材が設けられ、前記保温材収納空間の境界が各層ごとに互い違いに位置し、隣接する前記一対の保温収納空間の境界に、異なる層の前記保温材収納空間の保温材が重ねられていることを特徴とする防寒用品。
【請求項２】
所定形状に切断され互いに重ねられた第１生地と第２生地と第３生地と、前記第１生地と第２生地を所定間隔で縫い合わせる複数の第１縫目と、前記一対の第１縫目の間に設けられた第１保温材収納空間と、前記第２生地と第３生地を所定間隔で縫い合わせる複数の第２縫目と、前記一対の第２縫目の間に設けられた第２保温材収納空間と、前記第１保温材収納空間に位置した第１保温材と、前記第２保温材収納空間に位置した第２保温材が設けられ、前記第１縫目と第２縫目は、互いに平行で異なる位置に設けられ、隣接する前記一対の第１保温材収納空間の境界部分に、前記第２保温材収納空間が重ねられていることを特徴とする防寒用品。
【請求項３】
前記第１縫目は前記一対の第２縫目の略中間に位置していることを特徴とする請求項２記載の防寒用品。
【発明の詳細な説明】
【技術分野】
【０００１】
この発明は、保温性が高く、寒冷地等で着用または使用する防寒用品に関する。
【背景技術】
【０００２】
従来、保温性が高く寒冷地等で着用する防寒着として、生地の裏側にダウン等の保温材が入れられた防寒着がある。このような防寒着は、例えば特許文献１や図５（ａ）に示すように第１生地１と第２生地２が重ねられて設けられ、第１生地１と第２生地２は、保温材６を挟んで、縫い糸４で縫い合わせられている。縫い糸４で形成された縫目５は、防寒着全体として複数本が互いに平行にほぼ等間隔で設けられ、一対の縫目５の内側はそれぞれ保温空間を形成している。
【特許文献１】特開２００４−１６９２１１号公報
【発明の開示】
【発明が解決しようとする課題】
【０００３】
上記従来の技術の場合、縫い糸４で縫い合わせられた縫目５周辺は保温材６がつぶされて薄くなっており断熱効果が低い。また第１生地１、第２生地２には縫い糸４の糸が挿通された針穴が貫通して、これによっても断熱性が低くなっている。このため、縫目５周辺は保温性が低く、体温が逃げやすいものであった。
【０００４】
この発明は、上記従来の技術の問題点に鑑みてなされたものであり、簡単な構造で保温性が高い防寒用品を提供することを目的とする。
【課題を解決するための手段】
【０００５】
本発明は、所定形状に切断され互いに重ねられた３枚以上の生地と、前記一対の生地を所定間隔で縫い合わせて形成された保温材収納空間と、前記保温材収納空間に入れられた保温材が設けられ、前記保温材収納空間の境界が各層ごとに互い違いに位置し、隣接する前記一対の保温収納空間の境界に、異なる層の前記保温材収納空間の保温材が重ねられている防寒用品である。
【０００６】
さらに、所定形状に切断され互いに重ねられた第１生地と第２生地と第３生地と、前記第１生地と第２生地を所定間隔で縫い合わせる複数の第１縫目と、前記一対の第１縫目の間に設けられた第１保温材収納空間と、前記第２生地と第３生地を所定間隔で縫い合わせる複数の第２縫目と、前記一対の第２縫目の間に設けられた第２保温材収納空間と、前記第１保温材収納空間に位置した第１保温材と、前記第２保温材収納空間に位置した第２保温材が設けられ、前記第１縫目と第２縫目は、互いに平行で異なる位置に設けられ、隣接する前記一対の第１保温材収納空間の境界部分に、前記第２保温材収納空間が重ねられているものである。特に、前記第１縫目は前記一対の第２縫目の略中間に位置していると良い。
【発明の効果】
【０００７】
本発明の防寒用品は、簡単な構造で、高い保温性を得ることができるもので、特に、保温材収納空間を積層する層で位置をずらして設けることにより、熱が逃げやすい縫目を、積層した層の保温材で覆い、確実に内部を保温して防寒機能、断熱機能を高めている。
【発明を実施するための最良の形態】
【０００８】
以下、この発明の実施形態について図面に基づいて説明する。図１、図２はこの発明の一実施形態を示すもので、この実施形態の防寒用品１０は、生地の裏側にダウンや合成繊維で作られた保温材が設けられたジャケットである。防寒用品１０を形成する生地の部分について図１に基づいて説明する。この実施形態の防寒用品１０は、第１生地１２、第２生地１４、第３生地１６が重ねられて設けられている。第１生地１２と第２生地１４は、縫い糸１８で縫い合わせられている。第１縫い糸１８で形成された第１縫目２０はほぼ直線に設けられ、縫目２０は防寒用品１０全体として複数本が互いに平行にほぼ等間隔で設けられている。一対の第１縫目２０の内側は、それぞれ第１保温材収納空間２２となっている。第１保温材収納空間２２の内側には、ダウンや合成繊維等からなる第１保温材２４がほぼ等量ずつ入れられ、または積層されて挟まれている。
【０００９】
第２生地１４と第３生地１６は、第２縫い糸２６で縫い合わせられている。第２縫い糸２６で形成された第２縫目２８はほぼ直線に設けられ、防寒用品１０全体として複数本が互いに平行に設けられている。第２縫目２８は第１縫目２０に対して平行で、一対の第１縫目２０のほぼ中心に１本ずつ設けられている。一対の第２縫目２８の内側は、それぞれ第２保温材収納空間３０となっている。第２保温材収納空間３０の内側にも、ダウンや合成繊維からなる第２保温材３２がほぼ等量ずつ入れられ、または積層されている。
【００１０】
次にこの実施形態の防寒用品１０の製品である、ダウンジャケットについて図２に基づいて説明する。第１生地１２が防寒用品１０の表面に位置するときは、第１生地１２は発水性や防水性を有する丈夫な素材で作られている。また、第３生地１６は身体に接触しても違和感がないように、柔軟な素材で作られている。そして、第１生地１２、第２生地１４、第３生地１６は、前身頃や後身頃、袖の形状にカットされて縫い合わされ、第１生地１２表面に設けられた第１縫目２０は、水平方向に沿って形成されている。身体前側中心には例えばスライドファスナー等の開閉部材が取り付けられている。
【００１１】
また、図示しない第２生地１４には、一対の第１縫目２０の中間に、第２縫目２８が第１縫目２０に対して平行に位置している。一対の第１縫目２０で作られた第１保温材収納空間２２と、一対の第２縫目２８で作られた第２保温材収納空間３０は、上下方向に半分ずつずれた状態に位置し、第１保温材収納空間２２に位置した第１保温材２４と、第２保温材収納空間３０に位置した第２保温材３２も、上下方向に半分ずつずれた状態に位置している。
【００１２】
この実施形態の防寒用品１０によれば、縫い目がジャケット等の表裏で貫通していないので、高い断熱性による良好な保温性を有し、通気も確実に遮断して、防寒性能を高めることができる。第１縫目２０付近では第１保温材２４が縫いつぶされて薄くなり保温性が低くなるが、第１縫目２０の裏面には第２保温材収納空間３０に入れられた第２保温材３２の中心の一番厚い部分が位置し、放熱を防いでいる。また第２縫目２８付近では第２保温材３２が縫いつぶされて薄くなり保温性が低くなるが、第２縫目２８の表側には第１保温材収納空間２２に入れられた第１保温材２４の中心の一番厚い部分が位置し、お互いにカバーされている。第１縫目２０と第２縫目２８は、異なる第一縫い糸１８、第２縫い糸２６で、異なる位置に設けられているため、針穴が防寒用品１０を貫通せず、針穴による通気を防ぎ、この点からも熱の伝達を防いでいる。
【００１３】
なお、この発明の防寒用品は、上記実施の形態に限定されず、各縫目の方向はデザインに合わせて変更可能であり、第１縫目と第２縫目の位置が一致しないものであればよい。一対の第１縫目の間に２本以上の第２縫目が設けられても良い。また、ダウンジャケット以外の衣服や、寝袋等の防寒用品に使用してもよい。
【実施例１】
【００１４】
次に、この発明の防寒用品１０の保温性について、従来品と比較する試験を行った。まず、図１と図５（ｂ）に示す構造の小片を、発明品と従来品として試料とした。ここで、図５（ｂ）に示す従来品は、本発明と同様の条件とするために、保温材６を２層構造とした。各保温材はダウンを使用し、０．８ｇとする。試験方法は、所定の温度に設定された発熱装置等の上に試料を置き、所定時間経過後、サーモグラフティ写真を撮影し、その概略図を図３に示す。また、発明品の第１縫目２０と従来品の縫目５の放熱温度と保温率を測定した。その値を以下の表１に示す。
【００１５】
【表１】
2007270384.tif 000003
この試験の結果、発明品は従来品に比べ、縫目からの放熱温度が３℃低いことがわかり、放熱量が少なく、保温率が高いことが確認された。また、サーモグラフティ写真によると、従来品は縫目５の全長にわたって高温部分が幅広く認められたのに対し、発明品は第一縫目２０の一部に高温部分が細く認められる程度であった。
【００１６】
次に、図２に示すダウンジャケットである防寒用品１０の保温性を、本願と同様に２層にした図５（ｂ）の従来の構造のダウンジャケットと比較する試験を行った。試験方法は、被験者が着用し、所定時間経過後、サーモグラフティ写真を撮影し、その概略図を図４に示す。
【００１７】
この試験の結果、従来品は見頃部分と袖部分に、水平方向に設けられた縫目５に沿って帯状に体温が逃げている高温部分が認められ、縫目５周辺で放熱している。これに対し、発明品は帯状になった高温部分は認められず、放熱が抑えられている。
【００１８】
上記の２種類の試験により、発明品の防寒用品１０は高い保温性を有し、放熱を抑え、防寒効果が高いことがわかる。
【図面の簡単な説明】
【００１９】
【図１】この発明の一実施形態の防寒用品の部分破断斜視図である。
【図２】この実施形態の防寒用品の正面図である。
【図３】この実施形態の防寒用品の縫目部分のサーモグラフティ写真の概略図である。
【図４】この実施形態の防寒用品のサーモグラフティ写真の概略図である。
【図５】従来の防寒着等の保温材の収納状態を示す部分破断斜視図（ａ）と、従来の構造を本発明と同様の条件とした場合の保温材の収納状態を示す部分破断斜視図（ｂ）である。
【符号の説明】
【００２０】
１０  防寒用品
１２  第１生地
１４  第２生地
１６  第３生地
１８  第１縫い糸
２０  第１縫目
２２  第１保温材収納空間
２４  第１保温材
２６  第２縫い糸
２８  第２縫目
３０  第２保温材収納空間
３２  第２保温材
【図１】
2007270384.tif 000004
【図２】
2007270384.tif 000005
【図３】
2007270384.tif 000006
【図４】
2007270384.tif 000007
【図５】
2007270384.tif 000008